(57)【要約】      （修正有）【課題】閉鎖構造の電動機一体型渦巻ポンプの、ポンプ側軸端に配したケーシングカバーを開放して羽根車の脱着及び軸封シールの取替を行う際に、保守作業を容易にする軸固定機構を提供する。【解決手段】電動機の反ポンプ側の軸端に六角軸などの工具掛りを付加し、ポンプセット外部で、ボックススパナ等の標準工具で軸を固定する。【選択図】図１
0003178535.tif 000002
【実用新案登録請求の範囲】
【請求項１】
電動機一体形の横軸渦巻ポンプにおいて、電動機の反ポンプ側軸端に六角軸、四角軸又は二面切欠ぎを付加して工具掛りとし、ポンプ側軸端の羽根車押えボルト又はナットの締め・緩めの作業を、ボックススパナーなどの標準工具で可能に構成した軸固定機構。
【請求項２】
電動機の取外しにおける水平横引きのため、反ポンプ側に延長した該支台の台板末部に穴又は切欠ぎを設け、ボックススパナなどの標準工具を引留め可能に構成した、請求項１の軸固定機構。
【考案の詳細な説明】
【技術分野】
【０００１】
本考案は、主として全閉鎖構造の電動機一体型渦巻ポンプにおいて、ポンプ軸端側のケーシングカバーを開放して羽根車の脱・着及び軸封シールの取替の際の、軸固定機構に係るものである。
【背景技術】
【０００２】
既発明「特許４９７８８６９：渦巻ポンプ及びポンプユニット」（以下、既発明１と呼ぶ）において、横軸渦巻ポンプのポンプケーシングの左右両方に横向き吸引口を、ポンプ軸端側に開放可能のケーシングカバーを、それぞれ配してポンプ軸端側からポンプ周りの弁類の操作及びポンプ開放・保守作業を可能の、片吸込羽根車による小・中口径機は勿論、両吸込羽根車による大口径機も含む全シリーズを提供可能とし、それに加え、ポンプ周りの鉛直面に集中配置の弁類を含みポンプユニットの全高が低く、その上部に冷却器等を載せて複合ユニット構成も可能である。
【０００３】
なお、既発明「特願２０１１−４８２７８：横軸渦巻ポンプ」（以下、既発明２と呼ぶ）で左右何れか片方の横向き吸引口を追加）において、ポンプケーシングを電動機にフランジ結合の電動機一体型渦巻ポンプは、ポンプセット長が半減し部品点数が激減するので省スペース及び省コストが求められる船舶機関部補機構成に頗る有利であるが、ポンプ軸端以外は閉鎖構造のため、ポンプ開放・保守作業として羽根車の脱・着及び軸封シールの取替において、簡易且つ有効な軸固定機構が必要である。
【先行技術文献】
【特許文献】
【０００４】
【特許文献１】実用新案登録３１６４５６１（実願２０１０−００５８６１）
【特許文献２】実用新案登録３１６６３３５（実願２０１０−００７６９１）
【０００５】
特許文献１においては、羽根車押えナット用雄ネジと六角軸をポンプ軸端に配し、同軸の２つのボックススパナで該押えナットの締め・緩め作業を行う機構を提供し、特許文献２においては、羽根車押えを羽根車ボス嵌入部と押え板部で形成しボス嵌入部は羽根車ボスのキーを共用し、押え板部は六角で工具掛りとし、ポンプ軸端に雄ネジ（主として小型機）又はネジ穴（主として大型機）を配し、同軸の２つのボックススパナで押えナット又は押えボルトの締め・緩め作業を行う機構を提供しているが、構造複雑で同軸ボックススパナの如き特殊工具を要し、ケーシング開口の奥部で作業し難い。
【考案の概要】
【考案が解決しようとする課題】
【０００６】
上述の電動機一体型横軸ポンプの軸固定機構の問題を改善し簡易且つ有効なものとするため、下記の如く構成する。  
【課題を解決するための手段】
【０００７】
［軸固定機構］  電動機の反ポンプ側軸端を小延長して六角軸の工具掛り部とし、一般標準工具のボックススパナーで軸固定可能とする。
【０００８】
該工具係り部は、四角軸や並行2面或いは凹六角などでもよいが、標準工具使用の六角軸が最適である。
【０００９】
六角軸の寸法は、ポンプ軸端のネジ軸のナットやネジ穴のボルト頭の対辺・対角及び六角高さと同等以上で羽根車押えの締め・緩めのトルクに充分な強度を持たせる。
【００１０】
全閉外扇型電動機では、六角軸が外扇カバー端面より突出の場合は、ボックススパナ挿入に充分な内径の保護管を外扇カバー中心に付加し、運転中の六角軸への誤触危害を防ぐ。
【００１１】
開放防滴形電動機では、その反ポンプ側ブラケットにボックススパナ挿入に充分な貫通口（ネジ穴）を施して雄ネジ形袋プラグで盲栓し、常時は軸受部への異物侵入を避け、運転中の六角軸への誤触危害を防ぐ。
【００１２】
電動機支台の台板は、ポンプケーシングからの電動機取外しの際のポンプ軸端長（以下記号Lｓで表す）を電動機水平で安全に引き抜けるよう、反ポンプ側に延長して余長部を設け、該余長部に上述のボックススパナハンドルの引留め穴又は切欠ぎを施し、羽根車脱・着時の緩め・締めトルクを支承可能とする。
【考案の効果】
【００１３】
以上述べた本考案の構成による効果を、以下に説明する。
【００１４】
［軸仕様］  電動機軸は、既発明や特許文献１、２に記載の如く、電動機一体型渦巻ポンプとして規格標準の軸端を無継手延長してポンプ軸を形成しており、本考案の反ポンプ側軸端の小延長の六角軸端は追加仕様として製造工程・原価への影響は軽微である。
【００１５】
開放防滴形電動機では、反ポンプ側ブラケット（鋳造）の六角軸貫通の袋プラグのネジ穴加工は軽微な機械加工で済み、全閉外扇形電動機では、外扇カバーの六角軸突出部の保護管の溶接で済み製造工程・原価への影響は軽微である。
台板延長は電動機支台の基本構造を変えないで済むので、加工工程・原価への影響は軽微である。
【００１６】
［保守作業］  ケーシングカバー開放、ポンプ軸固定及び羽根車脱・着は全て標準工具のボックススパナで、全て可視状態で作業可能となる。
【００１７】
電動機取外し・再組付は、軸芯水平を保って行うので、ポンプケーシングとの脱・着およびポンプ軸貫通部の保全が頗る容易・確実となる（なお、電動機は、長寿命の球軸受摩耗のみ、絶縁は半永久的寿命を持つので、極低頻度の製品品質バラツキや周囲の不慮の事故的トラブルに備え、念のため電動機の取外し・再組付けに対応するものである）。
【００１８】
本考案の軸固定機構における六角軸による電動機軸端の小延長は、ポンプセット後部の電動機取外しスペースへの影響は頗る軽微である。
【図面の簡単な説明】
【００１９】
【図１】本考案に係る全閉外扇型電動機と一体型の渦巻ポンプセットの側断面図
【図２】本考案に係る開放防滴型電動機と一体型の渦巻ポンプセットの側断面図
【考案を実施するための形態】
【００２０】
本考案の電動機一体型渦巻ポンプの軸固定機構の構成例を、図面を参照して説明する。
【実施例１】
【００２１】
図１及び図２において、先ず、本考案に係る電動機と一体形の渦巻ポンプの構造姿を示せば、ポンプセット１はポンプケーシング２と電動機３を結合フランジ部４を介して一体形閉鎖構造に構成しており、寸法・重量共に大きい方の電動機３の支脚５で支台６に支承している。
【００２２】
ポンプケーシング２は、左右両方又は何れか一方に横向きの吸引口７と、上向きの吐出口８を持ち、弁類を含む配管９、１０で液体の吸引・供給の両系統に接続され、管路の一部となっている。
【００２３】
電動機軸１１Ｍを無継手延長して片持のポンプ軸部１１Ｐを成し、羽根車１２、軸封シール部１３をケーシング２内に装着し、電動機３の軸受１４、１５を共用の一体軸１１を形成している。
【００２４】
羽根車１２は、ポンプ軸部１１Ｐのキー１６Ｋと、図２のようにポンプ軸部１１Ｐの軸端のネジ軸１１Ｓに押えナット１６Ｎ（小型機の場合）、又は図１のようにネジ穴１１Ｈに六角ボルト１６Ｂ（大型機の場合）で固定する。
【００２５】
ケーシング２のポンプ軸端側は、羽根車１２を出し入れするに充分な径の開口フランジ１７を施し、ケーシングカバー１８を配しそれを取外して、ポンプ軸端側を開放し、配管９、１０の装着のままで、羽根車１２の脱・着、軸封シール部１３のシールエレメント１３Eの取替及びケーシング２の内部点検の保守作業が可能である。
【００２６】
［六角軸］  電動機軸１１Ｍの反ポンプ側軸端に小延長の六角軸２１を付し、全閉外扇型電動機の場合は、図１のように、電動機軸１１Ｍの外扇軸端に総延長の六角軸２１を付し、外扇カバー１９に該六角軸２１に適合のボックススパナ２２に見合う貫通穴２３を施し、該六角軸２１が外扇カバー１９より突出の場合は、保護管２３Ｐを付し、運転中の突出六角軸２１への誤触危害を防ぐ。
【００２７】
開放防滴形電動機の場合は、図２のように、反ポンプ側ブラケット２０に該六角軸２１に適合のボックススパナ２２に見合う貫通穴２４（ネジ穴）を施し、常時は袋プラグ２４Ｐをネジ込み密封し、軸受１５への異物侵入及び運転中の突出六角軸２１への誤触危害を防ぐ。
【００２８】
以上により、電動機軸１１Ｍの反ポンプ側軸端の六角軸にボックススパナ２２を掛けて一体軸１１を固定し、ポンプ軸部の押えボルト１６B（図１）又は押えナット１６N（図２）に適合のボックススパナ（自明の姿のため図示省略）を掛けて、羽根車１２の取外し・再組付けが可能となる。
【実施例２】
【００２９】
図１及び図２において、電動機３の不慮の不調や故障の際の取外し・再組付けに備えた、電動機支台構造及び上述実施例１の軸固定機構との関連において、実施例２として以下に説明する。
【００３０】
［電動機支台］  電動機３の不慮の不調や故障に備え、その取外しの際は、ポンプ軸端においてケーシングカバー１８を取外し、上記により羽根車１２をポンプ軸１１Ｐより取外し、軸封シール部１３をポンプケーシング２から取外し（構造は図示省略）の上、結合フランジ部４の結合を解いて、電動機３をポンプ軸部１１Ｐの長さＬｓ以上、反ポンプ側に水平に引出せるよう、支台６の台板６Ｐと電動機支脚５のライナ６Ｌを反ポンプ側に延長し、重量品の電動機３の引抜き・再組付け作業を容易且つ安全に可能とする。
【００３１】
台板６Ｐの延長部にボックススパナ２２のハンドルの引留め穴又は切欠ぎ２５を施し、羽根車１２の取外し・再組付け作業におけるボックススパナ２２による一体軸１１の固定を容易・確実とする。
【産業上の利用可能性】
【００３２】
本考案に係る電動機一体型の横軸渦巻ポンプは、既発明１及び既発明２に記載の如く、電動機軸１１Ｍとポンプ軸１１Ｐを一体軸１１とし電動機軸受１４、１５を共用し、ポンプの基本機能のみでポンプセット１を構成したもので、従来の横軸ポンプの軸受フレーム、軸接手及び共通台板を省きポンプセット長を半減し、吸引口を横向きとしてケーシング２の軸端側にケーシングカバー１８を配し、ポンプ軸端側の開放スペースでポンプ周りの全ての弁操作及び羽根車脱・着及び軸封シールの取替を含む保守作業を可能とし、それに加えて本考案により、閉鎖構造のポンプセット１において、反ポンプ側の軸端に六角軸を追加して簡易・有効な軸固定機構を構成し、保守作業を更に容易にしたものである。
【００３３】
既発明１、２は、横軸機において羽根車の片吸込形（小・中型機）及び両吸込形（中・大型機）に至る全シリーズを標準製品化可能であり、特に船舶補機として需要が大きく省スペース効果が著しい（電動機の一体軸１１が特殊仕様の他は規格標準品及び準規格標準品であり、在来のポンプセットより部品点数の激減で省資源を齎し且つ省コストも充分可能である）。
【符号の説明】
【００３４】
１  ポンプセット                    ２  ポンプケーシング
３  電動機                          ４  結合フランジ部
５  支脚                            ６  支台
６Ｐ  台板                          ６Ｌ  ライナ    
７  吸引口                          ８  吐出口
９  配管、吸引配管                  １０  配管、供給配管
１１Ｐ  ポンプ軸部                  １１Ｍ  電動機軸
１１Ｓ  ネジ軸                      １１Ｈ  ネジ穴
１１  一体軸                        １２  羽根車
１３  軸封シール部                  １４  軸受（ポンプ側）
１３E  シールエレメント
１５  軸受（反ポンプ側）            １６Ｋ  キー
１６Ｎ  押えナット、六角ナット      １６Ｂ  押えボルト、六角ボルト
１７  開口フランジ                  １８  ケーシングカバー
１９  外扇カバー                    ２０  ブラケット
２１  六角軸                        ２２  ボックススパナ
２３  貫通穴                        ２３Ｐ  保護管
２４  貫通穴（ネジ穴）              ２４Ｐ  袋プラグ
２５  引留め穴、切欠ぎ              Lｐ  ポンプセット長
Ｌｓ  ポンプ軸長、電動機取外しスペース
Ｌｃ  ケーシングカバー取外しスペース
【図１】
0003178535.tif 000003
【図２】
0003178535.tif 000004